(57)【要約】【課題】カラオケ歌唱を妨げるような使用を禁止することが可能なカラオケ用マラカスを提供する。【解決手段】容器内に封入された強磁性体粒状物が、互いにまたは容器の内壁と衝突することで発音するカラオケ用マラカスであって、容器内の所定位置に設けられ、帯磁可能な固定部、固定部と磁気的に接続された電磁石、カラオケ装置から、ある楽曲の歌唱区間についてカラオケ演奏中であることを示す歌唱区間信号を受信した場合、電磁石に通電することにより、発音を禁止する発音制御部、を有するカラオケ用マラカス。【選択図】図２
2020071286.tif 000002
【特許請求の範囲】
【請求項１】
容器内に封入された強磁性体粒状物が、互いにまたは容器の内壁と衝突することで発音するカラオケ用マラカスであって、
前記容器内の所定位置に設けられ、帯磁可能な固定部と、
前記固定部と磁気的に接続された電磁石と、
カラオケ装置から、ある楽曲の歌唱区間についてカラオケ演奏中であることを示す歌唱区間信号を受信した場合、前記電磁石に通電することにより、発音を禁止する発音制御部と、
を有するカラオケ用マラカス。
【請求項２】
前記容器と接続され、利用者が把持する把持部を有し、
前記固定部は、前記把持部が接続される側の端部近傍に設けられることを特徴とする請求項１記載のカラオケ用マラカス。
【請求項３】
前記容器と接続され、利用者が把持する把持部を有し、
前記固定領域は、前記把持部が接続される側とは反対側の端部近傍に設けられることを特徴とする請求項１記載のカラオケ用マラカス。
【請求項４】
所定期間、前記歌唱区間信号を受信しなかった場合、前記発音制御部は、前記電磁石への通電を中止することにより、発音を許可することを特徴とする請求項１〜３のいずれか一つに記載のカラオケ用マラカス。
【発明の詳細な説明】
【技術分野】
【０００１】
本発明はカラオケ用マラカスに関する。
【背景技術】
【０００２】
カラオケ歌唱の場において、タンバリンやマラカス等の楽器が使用されることがある。歌唱者のカラオケ歌唱に合わせて、聴衆（歌唱者以外の利用者）が楽器を鳴らすことにより、カラオケ歌唱の場を盛り上げることができる。
【０００３】
このような用途に適した楽器として、たとえば、光るマラカスが販売されている（非特許文献１参照）。
【先行技術文献】
【非特許文献】
【０００４】
【非特許文献１】「光るマラカス」、ＨＡＰＰＹ  ＪＯＩＮＴ、［平成３０年１０月１１日検索］、インターネット、＜ＵＲＬ：https://item.rakuten.co.jp/kinokokinoko/mus456ea/＞
【発明の概要】
【発明が解決しようとする課題】
【０００５】
ところで、カラオケ歌唱中に楽器が鳴らされた場合、歌唱者によっては、楽器の音が気になり、カラオケ歌唱に集中できない。
【０００６】
本発明の目的は、カラオケ歌唱を妨げるような使用を禁止することが可能なカラオケ用マラカスを提供することにある。
【課題を解決するための手段】
【０００７】
上記目的を達成するための一の発明は、容器内に封入された強磁性体粒状物が、互いにまたは容器の内壁と衝突することで発音するカラオケ用マラカスであって、前記容器内の所定位置に設けられ、帯磁可能な固定部と、前記固定部と磁気的に接続された電磁石と、カラオケ装置から、ある楽曲の歌唱区間についてカラオケ演奏中であることを示す歌唱区間信号を受信した場合、前記電磁石に通電することにより、発音を禁止する発音制御部と、を有するカラオケ用マラカスである。
本発明の他の特徴については、後述する明細書及び図面の記載により明らかにする。
【発明の効果】
【０００８】
本発明によれば、カラオケ歌唱を妨げるような使用を禁止することができる。
【図面の簡単な説明】
【０００９】
【図１】実施形態に係るカラオケ用マラカスの外観を示す斜視図である。
【図２】実施形態に係るカラオケ用マラカスの構成を示すブロック図である。
【図３】実施形態に係るカラオケ用マラカスの内部を示す斜視図である。
【図４】実施形態に係るカラオケ用マラカスの内部を示す斜視図である。
【図５】実施形態に係るカラオケ用マラカスにおける処理を示すフローチャートである。
【発明を実施するための形態】
【００１０】
図１〜図５を参照して、本実施形態に係るカラオケ用マラカスについて説明する。
【００１１】
図１に示すように、本実施形態に係るカラオケ用マラカス１は、長球状の容器Ｃ及び直線状の把持部Ｈから構成される。容器Ｃの内部には、発音体としての強磁性体粒状物Ｐ（図２参照）が封入されている。把持部Ｈは、容器Ｃの基端部に接続されている。把持部Ｈは、カラオケ用マラカス１の使用時に利用者が把持する部分である。利用者が把持部Ｈを把持した状態でカラオケ用マラカス１を振ることにより、容器Ｃ内で強磁性体粒状物Ｐが移動し（図２の破線矢印参照）、互いにまたは容器Ｃの内壁と衝突することで発音する。
【００１２】
図２に示すように、カラオケ用マラカス１は、強磁性体粒状物Ｐ、固定部Ｆ、電磁石Ｅ、及び制御装置Ｍを有する。この例において、強磁性体粒状物Ｐ及び固定部Ｆは、容器Ｃの内部に設けられる。一方、電磁石Ｅ及び制御装置Ｍは、把持部Ｈの内部に設けられる。なお、把持部Ｈの内部には電磁石Ｅや制御装置Ｍに電力を供給する電源（図示なし）等も設けられる。
【００１３】
強磁性体粒状物Ｐは、直径１ｍｍ程度の金属の粒である。強磁性体粒状物Ｐは、容器Ｃ内に多数、封入される。
【００１４】
固定部Ｆは、たとえば強磁性体の材料からなる帯磁可能な構成である。固定部Ｆは、容器Ｃ内の所定位置に設けられる。具体例として、固定部Ｆは、把持部Ｈが接続される側の端部（容器Ｃの基端部）近傍に設けることができる（図３参照）。或いは、固定部Ｆは、把持部Ｈが接続される側とは反対側の端部（容器Ｃの先端部）近傍に設けることができる（図４参照）。図３及び図４の例において、固定部Ｆは、ボウル状の領域として設けられている。なお、容器Ｃ内に封入される強磁性体粒状物Ｐの数は、ボウル状の固定部Ｆに収まる程度であることが好ましい。図３及び図４においては、強磁性体粒状物Ｐの記載を省略している。
【００１５】
電磁石Ｅは、固定部Ｆと磁気的に接続されている。電磁石Ｅは、通常はＯＦＦ状態であり、通電によりＯＮ状態となる。ＯＮ状態は、磁石として機能する状態であり、ＯＦＦ状態は磁石として機能しない状態である。
【００１６】
制御装置Ｍは、カラオケ用マラカス１の各種制御を行う。図２に示すように、本実施形態に係る制御装置Ｍは、発音制御部１０として機能する。
【００１７】
発音制御部１０は、カラオケ装置Ｋから、ある楽曲の歌唱区間についてカラオケ演奏中であることを示す歌唱区間信号を受信した場合、電磁石Ｅに通電することにより、カラオケ用マラカス１の発音を禁止する。また、所定期間、歌唱区間信号を受信しなかった場合、発音制御部１０は、電磁石Ｅの駆動を中止することにより、カラオケ用マラカス１の発音を許可する。所定期間は、予め任意の値を設定することができる。
【００１８】
発音制御部１０が電磁石Ｅに通電した場合、電磁石ＥはＯＮ状態となる。電磁石Ｅが発生する磁力により、固定部Ｆは帯磁する。固定部Ｆが帯磁することにより、容器Ｃ内の強磁性体粒状物Ｐは固定部Ｆに固定される。
【００１９】
このような状態においてカラオケ用マラカス１を振ったとしても、強磁性体粒状物Ｐが容器Ｃ内で移動することは困難である。よって、カラオケ用マラカス１の発音を禁止できる。
【００２０】
一方、発音制御部１０が電磁石Ｅへの通電を中止した場合、電磁石ＥはＯＦＦ状態となる。この場合、固定部Ｆは帯磁していないため、強磁性体粒状物Ｐは容器Ｃ内で移動できる。よって、カラオケ用マラカス１を振った場合には、発音することができる。
【００２１】
次に、図５を参照して、本実施形態に係るカラオケ用マラカス１の具体的な動作について説明する。この例では、カラオケ装置Ｋとカラオケ用マラカス１とは予めペアリングされている。また、カラオケ装置Ｋとカラオケ用マラカス１とは、一般的な近距離無線通信技術を利用して通信可能となっている。
【００２２】
ここで、歌唱者Ｘは、カラオケ装置Ｋを利用して楽曲Ｙのカラオケ歌唱を行うとする。この場合、カラオケ装置Ｋは、楽曲Ｙの楽曲データから歌唱者が発声する歌唱区間とそれ以外の区間（非歌唱区間）を特定する。カラオケ装置Ｋは、歌唱区間のカラオケ演奏中は歌唱区間信号をカラオケ用マラカス１に送信する。
【００２３】
発音制御部１０は、カラオケ装置Ｋから送信される歌唱区間信号を受信する（歌唱区間信号の受信。ステップ１０）。
【００２４】
発音制御部１０は、電磁石Ｅに通電することにより、カラオケ用マラカス１の発音を禁止する（マラカスの発音を禁止。ステップ１１）。よって、歌唱者Ｘのカラオケ歌唱中にカラオケ用マラカス１を使用したとしても発音されることは無い。
【００２５】
その後、歌唱区間が終了したとする。この場合、カラオケ装置Ｋは歌唱区間信号の送信を停止する。
【００２６】
所定期間、歌唱区間信号を受信しなかった場合（ステップ１２でＹの場合）、発音制御部１０は、電磁石Ｅへの通電を中止することにより、カラオケ用マラカス１の発音を許可する（マラカスの発音を許可。ステップ１３）。
【００２７】
このように本実施形態に係るカラオケ用マラカス１は、容器Ｃ内に封入された強磁性体粒状物Ｐが、互いにまたは容器Ｃの内壁と衝突することで発音する。カラオケ用マラカス１は、容器Ｃ内の所定位置に設けられ、帯磁可能な固定部Ｆと、固定部Ｆと磁気的に接続された電磁石Ｅと、カラオケ装置Ｋから、ある楽曲の歌唱区間についてカラオケ演奏中であることを示す歌唱区間信号を受信した場合、電磁石Ｅに通電することにより、発音を禁止する発音制御部１０と、を有する。
【００２８】
このようなカラオケ用マラカス１によれば、歌唱区間のカラオケ演奏中には発音が禁止される。従って、歌唱者は、カラオケ用マラカス１の音を気にすることなく、カラオケ歌唱を行うことができる。すなわち、本実施形態に係るカラオケ用マラカス１によれば、カラオケ歌唱を妨げるような使用を禁止することができる。
【００２９】
また、本実施形態に係るカラオケ用マラカス１は、容器Ｃと接続され、利用者が把持する把持部Ｈを有し、固定部Ｆは、把持部Ｈが接続される側の端部近傍に設けることができる。このような位置に固定部Ｆを設けることにより、カラオケ用マラカス１の構造を簡易にすることができる。
【００３０】
或いは、本実施形態に係るカラオケ用マラカス１は、容器Ｃと接続され、利用者が把持する把持部Ｈを有し、固定部Ｆは、把持部Ｈが接続される側とは反対側の端部近傍に設けることができる。このような位置に固定部Ｆを設けることにより、消音効果を高めることができる。
【００３１】
また、所定期間、歌唱区間信号を受信しなかった場合、発音制御部１０は、電磁石Ｅへの通電を中止することにより、発音体の発音を許可する。所定期間に渡って歌唱区間信号を受信しない場合、カラオケ歌唱が行われていない（或いはカラオケ演奏自体が行われていない）ことを意味する。そのような場合には、電磁石Ｅへの通電を中止することで、強磁性体粒状物Ｐは容器Ｃ内での移動が可能となる。よって、カラオケ用マラカス１を鳴らすことが可能となる。
【００３２】
＜その他＞
なお、上記実施形態における容器Ｃや把持部Ｈの形状や、カラオケ用マラカス１の内部の配置等は上記例に限られない。
【００３３】
たとえば、容器Ｃは球状であってもよい。また、電磁石Ｅを容器Ｃ内に設けてもよい。この場合、電磁石Ｅと固定部Ｆとの距離が近くなるため、電磁石Ｅで発生した磁力を固定部Ｆにより確実に伝えることができる。また、固定部Ｆを容器Ｃの先端部側と基端部側の両方に設けてもよい（図３に示した固定部Ｆと図４に示した固定部Ｆの双方を有する形でもよい）。この場合、電磁石Ｅも容器Ｃの先端部側と基端部側に設けることも可能である。このように、複数の固定部Ｆを設けることにより、容器Ｃ内で移動する強磁性体粒状物Ｐをより確実に捕捉し、消音することが可能となる。或いは、容器Ｃ内全体に固定部Ｆを設けてもよい。
【００３４】
また、カラオケ装置Ｋは、歌唱区間信号を送信する代わりに、歌唱区間の開始信号と終了信号を送信することでもよい。開始信号を受信した場合、発音制御部１０は、電磁石Ｅに通電することにより、カラオケ用マラカス１の発音を禁止する。一方、終了信号を受信した場合、発音制御部１０は、電磁石Ｅへの通電を中止することにより、カラオケ用マラカス１の発音を許可する。このような構成によれば、ある楽曲の非歌唱区間においてはカラオケ用マラカス１の使用が可能となるため、カラオケ歌唱を妨げることなく、カラオケ歌唱の場を更に盛り上げることができる。
【００３５】
また、カラオケ用マラカス１は、消磁機能を備えてもよい。これにより、長時間の使用により強磁性体粒状物Ｐ及び固定部Ｆが磁化しても消磁することができる。消磁機能は公知の技術を用いることができる。たとえば、制御装置Ｍは、交流電流により電磁石Ｅに交番磁界を発生させる。そして、磁化した強磁性体粒状物Ｐ及び固定部Ｆを交番磁界に置いた状態で、制御装置Ｍは、徐々に電流を０に近付けていくよう制御することにより、強磁性体粒状物Ｐ及び固定部Ｆを消磁することができる。
【００３６】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００３７】
１  カラオケ用マラカス
１０  発音制御部
Ｃ  容器
Ｅ  電磁石
Ｆ  固定部
Ｈ  把持部
Ｍ  制御装置
Ｐ  強磁性体粒状物
【図１】
2020071286.tif 000003
【図２】
2020071286.tif 000004
【図３】
2020071286.tif 000005
【図４】
2020071286.tif 000006
【図５】
2020071286.tif 000007